(57)【特許請求の範囲】
【請求項１】
メイン電源によって電気を供給するプロジェクタにおいて、ハウジングと、ランプモジュールと、プロジェクタ本体と、コネクタ対とを含んでなり、
該ハウジングは該プロジェクタを覆うために用いられ、第１ハウジングと第２ハウジングとに分かれ、かつ該第１ハウジングと該第２ハウジングとを組み合わせること、もしくは分離することができ、
該ランプモジュールは、ランプと、該ランプに嵌設するランプフレームとを有し、また該ランプモジュールは該ランプフレームによって該第１ハウジングによって限定される空間に取付けられて位置決めされ、かつ該第１ハウジングと着脱可能に設けられ、該ランプフレームは突起柱状体を含んでなり、
該プロジェクタ本体は、該第２ハウジング内に固定され、該ランプフレームの該突起柱状体に対応する開閉器つまみを備え、該ランプモジュールと該本体とを組み合わせた場合、該突起柱状体と該開閉器つまみとが互いに接触して該メイン電源と該本体とを電気的に接続して通電させて、かつ該ランプモジュールと該本体とを分離させる場合、該突起柱状体と該開閉器つまみとが分離して該メイン電源と該本体とが電気的に切断されるようにし、
該コネクタ対は、第１ハーフコネクタと、第２ハーフコネクタとを含んでなり、該第１ハーフコネクタは該ランプモジュールに接続し、かつ該第１ハウジングに覆われ、所定の方向に移動して該第２ハウジング内の該第２ハーフコネクタとカップリングし、もしくはカップリングを解除し、該コネクタ対のハーフコネクタ同士がカップリングする場合は該本体と該ランプモジュールとが電気的に接続して通電し、該コネクタ対のハーフコネクタ同士のカップリングを解除すると、該本体と該ランプモジュールとが電気的に切断することを特徴とするプロジェクタ。
【請求項２】
前記第１ハウジングが単一の固定部材で前記第２ハウジングと組み合わせられることを特徴とする請求項１に記載のプロジェクタ。
【請求項３】
前記第１ハウジングは少なくとも１以上のランプフレームを挿設するスライド溝を有して、前記ランプモジュールを取付けることを特徴とする請求項１に記載のプロジェクタ。
【請求項４】
前記ハーフコネクタは、開閉ハンドルに接続し、使用者が前記第１ハーフコネクタを制御して移動させ、該第２ハーフコネクタに相対させることが出来るようにすることを特徴とする請求項１に記載のプロジェクタ。
【請求項５】
前記第１ハウジングは、別途該第１ハウジングと前記第２ハウジングとの組み合わせを容易にするための少なくとも１以上の係合手段を備えることを特徴とする請求項１に記載のプロジェクタ。
【請求項６】
前記ランプフレームは少なくとも１以上の位置決め柱状体を備え、本体にはこれに対応する位置決め孔を備え、該位置決め柱状体および該位置決め孔が、該ランプモジュールが前記本体と結合する際、該ランプモジュールを一基準平面上に位置決めすることを特徴とする請求項1に記載のプロジェクタ。
【請求項７】
前記ハウジング本体は少なくとも１以上の位置決めブロックを備え、前記ランプモジュールが前記フレームと接触する場合に一基準平面上に位置決めできるようにすることを特徴とする請求項６に記載のプロジェクタ。
【請求項８】
前記請求項１に開示するプロジェクタの安全な組み立て方法であって、次に掲げるステップを含んでなり、
第１ハウジングに接続するランプモジュールとプロジェクタ本体とを連結させ、該突起柱状体を開閉器つまみに接触させてメイン電源を電気的に本体に接続して通電させ、
該第１ハーフコネクタと、第２ハーフコネクタとをカップリングさせて本体とランプモジュールとを電気的に接続させて通電させ、
単一の固定部材によって該第１ハウジングを該第２ハウジングに固定することを特徴とするプロジェクタの安全な組み立て方法。
【請求項９】
前記請求項１に開示するプロジェクタの安全な分解方法であって、次に掲げるステップを含んでなり、
第１ハウジングと第２ハウジングとを固定する単一の固定部材の固定を解除し、
該第１ハーフコネクタと、第２ハーフコネクタとのカップリングを解除して本体とランプモジュールとを電気的に切断し、
ランプモジュールを収納する該第１ハウジングと、該本体を覆う第２ハウジングとを分解して、該突起柱状体と開閉器つまみを分離させることによってメイン電源と本体とを電気的に切断させることを特徴とするプロジェクタの安全な分解方法。
【発明の詳細な説明】
【０００１】
【発明の属する技術分野】
この発明はプロジェクタに係るものであり、詳しくはランプモジュールの取付けが容易なプロジェクタと、該ランプモジュールのプロジェクタに対する取付け方法に関するものである。
【従来の技術】
【０００２】
光学プロジェクタを用いる場合、ランプモジュールの部分は１０，０００ボルト以上の電圧を消耗する。よって、取り扱いに慎重を欠いた場合、例えばランプモジュールの取り付けや取り外しを行なう場合、使用者は電撃を受けるおそれがある。このため、関連技術においては、かなり厳格な安全規格が要求されている。このような安全規定を達成するために、周知のプロジェクタは次の二種類の構造を有する。
【０００３】
（１）機械と電気部分を別々に断絶させる、もしくは通電させる。
【０００４】
機械については、この種の周知のプロジェクタにおけるランプモジュールはプロジェクタのハウジングに限定される空間内に内設され、ネジで固定して位置決めする。また、ハウジングには、取り外し自在のフラットパネル状の蓋体を設けて、ランプモジュール取付けの便宜を図るとともに、使用者が直接ランプモジュールに接触しないように、保護を与える効果を有する。ランプモジュールはコネクタのハーフコネクタに接続し、目視の方法でプロジェクタ内に固定されたもう１つのコネクタのハーフコネクタに接続する。
【０００５】
ランプモジュールを取り出す場合、使用者はまずハウジングに恐らくネジで結合されているフラットパネル状の蓋体を取り外し、コネクタに対するカップリングを解除して、ランプモジュールを固定するネジを緩めてランプモジュールを取り出す。逆に、取りつける場合は、ランプモジュールを固定するネジでランプモジュールを位置決めし、コネクタをカップリングして最後にフラットパネル蓋体で蓋をする。
【０００６】
電気的接続については、周知のプロジェクタはフラットパネル蓋体に突起部を設け、プロジェクタ内のＡＣメイン電源のスイッチと「インターロック」構造を形成する。フラットパネル蓋体によって蓋をした場合、該フラットパネル蓋体の突起部と、スイッチのつまみと、が接触して、メイン電源の電気がプロジェクタのランプ電源供給器に通電する。逆に、フラットパネル状の蓋体を外す場合には、該蓋体の突起部とスイッチのつまみとが分離して、メイン電源の電気とランプモジュールの電源供給器とが断絶する。また、これらコネクタのハーフコネクタはプロジェクタの電気回路全体の一部分、即ちランプセットの電源供給器からランプモジュールの電気回路に至る部分を構成する。よって、ランプモジュールを取り出す場合、フラットパネル状の蓋体をハウジングから取り外すと同時に、メイン電源スイッチもすでに切られている。この時点において、さらにそれらコネクタの１ハーフコネクタのカップリングを解除して全体の電気回路との接続を切り離す。逆に、取付ける場合には、それらコネクタの１ハーフコネクタをカップリングし、さらにフラットパネル状の蓋体で蓋をしてメイン電源スイッチを起動し電気回路全体に通電させる。
【０００７】
前述のプロジェクタの構造は、出願人のモデル・ナンバーＥＺＰｒｏの製品上に見られるものであり、参考用にあわせて提出する。
【０００８】
（２）機械と電気を同時に切断、もしくは通電させる。
【０００９】
米国特許第５，８５５，４８８号に開示されるプロジェクタの構造は、フラットパネル状の蓋体を含んでなり、ハウジング内のランプモジュールを該蓋体で覆う。しかし、フラットパネル状の蓋体は「インターロック」の機能を提供しない。ランプモジュールに接続するコネクタの１ハーフコネクタと、プロジェクタ内に固定されるもう１つのコネクタのハーフコネクタとは、自動的に対向して揃えられ、つまみによってカップリング、もしくはカップリングを解除する。これらコネクタのハーフコネクタは機械的にカップリングするとともに、電気回路全体の通電を完成させるものであって、逆に機械的カップリングを解除する場合は、電気回路全体の切断を達成する。
【００１０】
前述の周知のプロジェクタは、いずれもフラットパネル状の蓋体を外し、コネクタの１ハーフコネクタのカップリングを解除し、固定ネジを外してランプモジュールを取り外す。これらプロジェクタは安全規格の要求に合致するが、取付け、取り外しが非常に不便である。したがって、当該分野の技術において安全規格の要求に合致し、かつ容易に取付けのできるプロジェクタを提供する必要がある。
【００１１】
【発明が解決しようとする課題】
この発明は、取付けの容易なランプモジュールを有するプロジェクタであって、ランプモジュールがプロジェクタのハウジングの一部を構成するランプカバー内に取りつけられ、かつ該ランプカバーが、例えばネジなどの単一の固定ユニットでハウジングに固定されるプロジェクタを提供することを目的とする。
【００１２】
また、この発明は前記ランプモジュールをプロジェクタに取付け、またプロジェクタから該ランプモジュールを取り外す方法を提供することを目的とする。
【００１３】
【課題を解決するための手段】
請求項１におけるプロジェクタは、メイン電源によって電気を供給するものであって、ハウジングと、ランプモジュールと、プロジェクタ本体と、コネクタ対とを含んでなり、該ハウジングは該プロジェクタを覆うために用いられ、自在に組み立て、もしくは分解できる第１ハウジングと第２ハウジングとに分かれる。
【００１４】
該ランプモジュールは、ランプと、該ランプに嵌設するランプフレームとを有し、また該ランプモジュールはランプフレームによって該第１ハウジングによって限定される空間に取付けられて位置決めされ、かつ第１ハウジングと着脱可能に設けられ、該ランプフレームは突起柱状体を含んでなる。
【００１５】
該プロジェクタ本体は、該第２ハウジング内に固定され、該ランプフレームの突起柱状体に対応する開閉器つまみを備え、ランプモジュールと本体とを組み合わせた場合、起柱状体と開閉器つまみとが互いに接触してメイン電源と本体と電気的に接続するよう通電させて、かつ該ランプモジュールと本体とを分離させる場合、該突起柱状体と開閉器つまみとが分離してメイン電源と本体とを電気的に切断する。
【００１６】
該コネクタ対は、第１ハーフコネクタと、第２ハーフコネクタとを含んでなり、第１ハーフコネクタはランプモジュールに接続し、かつ第１ハウジングに覆われ、所定の方向に移動して第２ハウジング内の第２ハーフコネクタとカップリング、もしくはカップリングを解除し、該コネクタ対のハーフコネクタ同士がカップリングする場合は本体とランプモジュールとが電気的に接続して通電し、該コネクタのハーフコネクタ同士のカップリングを解除すると、本体とランプモジュールとが電気的に切断する。
【００１７】
請求項２におけるプロジェクタは、請求項１における第１ハウジングが単一の固定部材で第２ハウジングと組み合わせられ、請求項３におけるプロジェクタは、請求項１における第１ハウジングは少なくとも１以上のランプフレームを挿設するスライド溝を有する。
【００１８】
請求項４におけるプロジェクタは、請求項１におけるハーフコネクタが開閉ハンドルに接続し、使用者が第１ハーフコネクタを制御して移動させ、該第２ハーフコネクタに相対させることが出来るようにする。また、請求項５に記載のプロジェクタは、請求項１に記載の第１ハウジングが、第１ハウジングと第２ハウジングとの組み合わせを容易にするために少なくとも１以上の係合手段を備える。
【００１９】
請求項６におけるプロジェクタは、請求項１におけるランプフレームが少なくとも１以上の位置決め柱状体を備え、本体にはこれに対応する位置決め孔を備え、該位置決め柱状体および該位置決め孔が、該ランプモジュールが前記本体と結合する際、該ランプモジュールを一基準平面上に位置決めできるようにする。
【００２０】
請求項７におけるプロジェクタは、ハウジング本体が少なくとも１以上の位置決めブロックを備え、請求項６におけるランプモジュールがフレームと接触する場合に一基準平面上に位置決めできるようにする。
【００２１】
請求項８におけるプロジェクタの安全な組み立て方法は、請求項１に開示するプロジェクタに係る組み立て方法であって、次に掲げるステップを含んでなる。即ち第１ハウジングに接続するランプモジュールとプロジェクタ本体とを連結させ、該突起柱状体をして開閉器つまみに接触させてメイン電源を電気的に本体に接続して通電させ、該第１ハーフコネクタと、第２ハーフコネクタとをカップリングさせて本体とランプモジュールとを電気的に接続させて通電させる。また、単一の固定部材によって第１ハウジングを第２ハウジングに固定する。
【００２２】
請求項９におけるプロジェクタの安全な分解方法は、請求項１に開示するプロジェクタの安全な分解方法であって、次に掲げるステップを含んでなる。即ち、第１ハウジングと第２ハウジングとを固定する単一の固定部材の固定を解除し、該第１ハーフコネクタと、第２ハーフコネクタとのカップリングを解除して本体とランプモジュールとを電気的に切断する。そして、ランプモジュールを収納する第１ハウジングと、本体を覆う第２ハウジングとを分解して、該突起柱状体をしてメイン電源と本体とを電気的に切断させる。
【００２３】
【発明の実施の形態】
この発明の特徴、効果及び長所を説明するために、好ましい実施例を挙げ、図面を参照にして以下に詳述する。図１にこの発明による取付け容易なランプモジュール３０を有するプロジェクタ１の好ましい実施例を開示する。プロジェクタ１は第１ハウジング１０と、第２ハウジング２０と、ランプモジュール３０と、プロジェクタ本体４０と、一対のコネクタ対５０（図示しない）とを含んでなる。
【００２４】
図４にランプカバーの構造を開示する。図示によれば、第１ハウジング１０は所定の空間を限定し、ランプモジュール３０を収納し、固定するために用いられる。また、第１ハウジング１０はランプモジュール３０と結合してランプモジュール３０のランプカバーを構成する。
【００２５】
第２ハウジング２０は本体４０を覆うために用いる。この発明の好ましい実施例によれば、第１ハウジング１０と、第２ハウジング２０とを組み合わせることによって完全なプロジェクタのハウジングを構成する場合、第１ハウジング１０に連結するランプモジュール３０と、第２ハウジング２０によって覆われる本体４０は、同時に機械的に、かつ電気的にカップリングする。逆に、第１ハウジング１０と、第２ハウジング２０とを分解する場合、第１ハウジング１０に連結するランプモジュール３０と、第２ハウジングに覆われる本体４０が、同時に機械的、かつ電気的にカップリングを解除する。前述の機械的、かつ電気的にカップリングを解除する点については、以下に詳述する。
【００２６】
図２には、この発明によるランプモジュール３０を第１ハウジング１０に固定した状態の構造を開示する。ランプモジュール３０はランプ３１と、ランプフレーム３２とを含んでなる。ランプ３１は例えばドイツＯｓｒａｍ社の製造するランプであって、その頭部側端縁部の外周は矩形面を形成し、ネジなどの固定部材で固定しやすくしてある。ランプフレーム３２は、図５に開示するようにランプ３１の頭部側端縁部の矩形面に対応したフレーム体であって、図６に開示するようにランプ３１の頭部側端縁部に嵌着する。このような設計によれば、図６に開示するランプモジュール３０は、ランプフレーム３２のフレームアーム３２３を利用して、図４に開示する第１ハウジング１０のスライド溝１３内に摺動させて挿設することができる。この発明の好ましい実施例においては、図６に開示するようにフレームアーム３２３上に弾性板３２４を設け、フレームアーム３２３がスライド溝１３に挿設される場合、該弾性板３２４はランプモジュール３０が容易に外れないようにしつつランプモジュール３０の位置を正確に決め、ランプモジュール３０が照射する光線が、図３に開示するプロジェクタ本体４０内の集光座（ｐｈｏｔｏ−ａｃｃｅｐｔａｎｃｅ  ｓｅｔ）４７の集光孔４３に正確に集光するようにする。
【００２７】
この発明の好ましい実施例においては、第１ハウジング１０の前端が本体４０と接触する個所には、少なくとも１以上の係合手段１４を設けて第１ハウジング１０と、図３に開示するプロジェクタ本体４０とが連結しやすいようにする。ランプフレーム３２は、少なくとも１以上の位置決め柱状体３２１と、突起柱状体３２２とを含み、ランプ３１の照射方向にほぼ沿って延伸する。位置決め柱状体３２１は、図３のプロジェクタ本体４０内の集光座４７の外周に近接した位置に設ける位置決め孔４１に対応して設ける。この発明の好ましい実施例においては、図３、５に開示するように、位置決め柱状体３２１と位置決め孔４１は対角状に配設される。よって、ランプ３１は、例えばＸ−Ｙの基準面（ｄａｔｕｍ  ｐｌａｃｅ）となる一平面上に位置決めされる。またこれとは別に、図３の集光座４７の外周に近接する位置には、若干の位置決めブロック４４を設け、ランプ３１を例えばＺ軸基準面の別の基準面に位置決めする。これら位置決めブロック４４は、この実施例においてはマグネシウム合金材質によってなるが、その他の軽量、かつ放熱性と強度に優れた材質であればいずれも採用することができる。ランプフレーム３２の突起柱状体３２２は、図３における本体４０内に固定される開閉器つまみ４２と「インターロック構造」を形成する。第１ハウジング１０内に取付けるランプモジュール３０と、図３の本体４０を機械的に連結する場合、突起柱状体３２２と開閉器つまみ４２とが接触し、ＡＣメイン電源（図７）が本体４０内のランプモジュール３０のランプ電源供給器４５からランプスターター４６の電気回路に至って通電する。逆に、ランプモジュール３０を本体４０から取り外す場合は、突起柱状体３２２と、開閉器つまみ４２とが離れ前記電気回路を切断する。
【００２８】
図２に開示するランプモジュール３０は、コネクタ対５０の第１のハーフコネクタ５１に接続する。第１ハーフコネクタ５１は第１ハウジング１０に覆われて配設され、使用者は開閉ハンドル１１によって制御して、本体４０内に固定された第２のハーフコネクタ５２に相対するように移動させる。これらコネクタのハーフコネクタ５１、５２は図７に開示するようにランプ電源供給器４５からランプスターター４６を経てランプ３１に至る電気回路を構成する。コネクタのハーフコネクタ５１、５２が機械的にカップリングする場合、第１ハーフコネクタの導体５１１と、第２ハーフコネクタ５２の導体（図示しない）とを介してランプ電源供給器４５はランプ３１に対して電気的に接続する。逆に、コネクタのハーフコネクタ５１、５２のカップリングを機械的に解除する場合は、電源供給器４５からランプ３１に至る電気回路を切断する。
【００２９】
図３に、ランプモジュール３０をプロジェクタ１から外した場合の、プロジェクタ本体４０の一部内部構造を開示する。ランプモジュール３０を取り外すステップについては、図１を参考にして以下に詳述する。使用者は、図１におけるランプモジュール３０とプロジェクタ１とを連結する固定部材１２を外す。これは、例えば固定ネジなどである。そして開閉ハンドルを上方に押し上げて、ランプモジュール３０とプロジェクタ本体との機械的カップリングを解除してランプモジュール３０を移動させる。ここで注意すべきことは、図１における固定部材１２は、プロジェクタ１が安全規格に合致するために必ず設けなければならない点である。次いで、開閉ハンドル１１を上方に押し上げると同時に、即刻コネクタ対５０の第１ハーフコネクタ５１と、第２ハーフコネクタとのカップリングを機械的、電気的に解除する。この場合、もはや使用者が感電する恐れはない。また、ランプモジュール３０を取り外すと同時に、突起柱状体３２２と開閉器つまみ４２とが離れてメイン電源が切断される。逆に、ランプモジュール３０と本体４０とを組み合わせてプロジェクタ１を構成すると、突起柱状体３２２と開閉器つまみ４２とが互いに接触して本体４０がメイン電源に電気的に接続する。ただし、この場合、コネクタ対５０の第１ハーフコネクタ５１と第２ハーフコネクタ５２とは、まだ機械的、電気的にカップリングしていなので、プロジェクタ１の回路は全体的に通電しておらず、このため使用者が感電する恐れはない。
【００３０】
この発明は、前記ランプモジュール３０をプロジェクタ１に取付けるための安全な取付け方法と、プロジェクタ１からランプモジュール３０を取り外す方法を提供するものであり、次に掲げるステップを含んでなるものである。
【００３１】
（１）第１ハウジング１０に接続するランプモジュール３０を、やや傾斜させた角度でプロジェクタ本体４０に連結する。この場合、突起柱状体３２２と開閉器つまみ４２とが互いに接触してメイン電源と本体４０とを通電させる。
【００３２】
（２）開閉ハンドル１１を押して第１ハーフコネクタ５１と、第２ハーフコネクタ５２とをカップリングさせて完全な電気回路を構成する。
【００３３】
（３）開閉ハンドル１１を上方に押し上げて第１ハーフコネクタ５１と、第２ハーフコネクタ５２とのカップリングを解除し、同時にランプモジュール３０とプロジェクタ本体４０の機械的、電気的カップリングを解除する。
【００３４】
（４）やや傾斜させた角度で第１ハウジング１０を取り出す。この場合、突起柱状体３２２と開閉器つまみ４２とが離れてメイン電源を切断する。
【００３５】
以上のすべてのステップにおいても、使用者がプロジェクタ１内の10,000ボルト以上にも達する高電圧の電撃を受けないように安全を確保することができる。よって、この発明のランプモジュール３０のカップリングを機械的に解除する場合、同時に電気的にもカップリングが解除される。また、機械的にカップリングを完成させた場合、電気的にもカップリングが完成するが、ランプモジュール３０が第１ハウジング１０内に接続しているため、使用者を保護することができ、感電する恐れがない。
【００３６】
以上、この発明が取付けの容易さ、安全性を備えると同時に、機械的および電気的にカップリングまたはカップリングを解除することについて備わる長所に関して述べてきた。しかし、これはこの発明の好ましい実施例を説明したに過ぎず、この発明の実施の範囲を限定するものではない。よって、この発明の精神は、特許請求の範囲に限定されるものとする。
【００３７】
【発明の効果】
この発明は、ランプモジュールがプロジェクタのハウジングの一部を構成するランプカバー内に取付けられ、かつ該ランプカバーが、例えばネジなどの単一の固定ユニットでハウジングに固定されるプロジェクタを提供し、該ランプモジュールの取付け、もしくは取り外しが容易で、かつ安全である。即ち、該簡易で安全な取付け方法と、機械的、電気的カップリング、もしくはカップリングの解除とを同時に行なうことができ、また該ランプモジュールが第１ハウジング内に接続しているため、使用者を保護することができ、感電する恐れがない。
【図面の簡単な説明】
【図１】この発明により取付けの容易なランプモジュールを有するプロジェクタの外観をあらわす斜視図である。
【図２】ランプカバー内にランプモジュールを取付けた状態を表す斜視図である。
【図３】図１におけるプロジェクタからランプモジュールを取り外した状態を表す斜視図である。
【図４】ランプカバーの構造を表す斜視図である。
【図５】ランプフレームの構造を表す斜視図である。
【図６】ランプとランプフレームを組み合わせた状態を表す斜視図である。
【図７】この発明によるプロジェクタに応用される電気回路の説明図である。
【符号の説明】
１  プロジェクタ
１０  第１ハウジング
１１  開閉ハンドル
１２  固定部材
１３  スライド溝
１４  係合手段
２０  第２ハウジング
３０  ランプモジュール
３１  ランプ
３２  ランプフレーム
３２１  位置決め柱状体
３２２  突起柱状体
３２３  フレームアーム
３２４  弾性板
４０  プロジェクタ本体
４１  位置決め孔
４２  開閉器つまみ
４３  集光孔
４４  位置決めブロック
４５  ランプ電源供給器
４６  ランプスターター
４７  集光座
５０  コネクタ対
５１  第１ハーフコネクタ
５１１  導体
５２  第２ハーフコネクタ
【図１】
0003636656.tif 000002
【図２】
0003636656.tif 000003
【図３】
0003636656.tif 000004
【図４】
0003636656.tif 000005
【図５】
0003636656.tif 000006
【図６】
0003636656.tif 000007
【図７】
0003636656.tif 000008